(57)【要約】【課題】  電子機器の時刻情報の修正を簡略化する。【解決手段】  周波数判別回路１１でソケット１０を介して供給された交流の周波数をチェックする。チェック結果を標準電波受信回路１３に入力する。アンテナ１４は、日本標準時を送信する２局からの標準電波を受信可能である。標準電波受信回路１３で、周波数判別回路１１のチェック結果に基づいて、アンテナ１４を介して受信する標準電波の周波数帯域を決定する。交流の周波数が５０Ｈｚのとき、４０ｋＨｚの標準電波を受信し、交流の周波数が６０Ｈｚのとき、６０ｋＨｚの標準電波を受信する。標準電波受信回路１３で、受信した標準電波から報時情報を抽出し出力する。ＡＣ−ＤＣ回路１２で、交流電流を直流電流へ変換する処理を行う。標準電波受信回路１３が出力する報時情報は信号ライン１５でデジタルカメラへ伝送し、ＡＣ−ＤＣ回路１２が出力す直流電流は、電源ライン１６によりデジタルカメラへ入力する。【選択図】        図１
2006208213.tif 000002
【特許請求の範囲】
【請求項１】
商用電源の交流を直流に変換して出力する電源出力手段と、前記交流の周波数を判別する判別手段と、標準電波を受信するための受信手段と、前記判別手段により判別された前記交流の周波数に基づいて前記受信手段が受信する標準電波の周波数帯域を選択する選択手段と、前記受信手段により受信された標準電波から報時情報を抽出し、外部機器へ出力する出力手段とを有する電源供給機器と、
前記電源供給手段から電源が供給されるとともに、前記出力手段から出力された前記報時情報に基づいて時刻情報を修正する修正手段を有する電子機器とを備えることを特徴とする時刻情報修正システム。
【請求項２】
商用電源の交流を直流に変換して出力する電源出力手段と、
前記交流の周波数を判別する判別手段と、
標準電波を受信するための受信手段と、
前記判別手段により判別された前記交流の周波数に基づいて前記受信手段が受信する標準電波の周波数帯域を選択する選択手段と、
前記受信手段により受信された標準電波から報時情報を抽出し、接続される電子機器に出力する報時情報出力手段とを備えることを特徴とする電源供給機器。
【請求項３】
電源供給手段と、標準電波の受信手段と、当該標準電波から報時情報を抽出し出力する報時情報出力手段とを有する電源供給機器が接続され、
前記電源供給手段により電源が供給されるとともに、前記報時情報出力手段から出力される前記報時情報に基づいて時刻情報を修正する時刻修正手段を備えることを特徴とする電子機器。
【発明の詳細な説明】
【技術分野】
【０００１】
本発明は、電子機器における時刻表示に関する。
【背景技術】
【０００２】
従来、パソコンやデジタルカメラ等の電子機器には時刻情報を管理する機能が搭載されている。電源投入時、電子機器を制御するＯＳは、電子機器に内蔵されたＲＴＣ（リアル・タイム・クロック）に記憶されている時刻情報を読出し、この情報に基づいて稼動中の電子機器の時刻情報を管理する。
【０００３】
しかしながら、バッテリの寿命、温度等によりＲＴＣの情報に誤差が生じることがある。この問題を解決するために、デジタルカメラの充電を行うためのクレードルに標準電波を受信する機能を設けたものがある。
【特許文献１】特開２００３−２２４７６６号公報
【発明の開示】
【発明が解決しようとする課題】
【０００４】
ところが、パソコンにはデジタルカメラに対するクレードルに相当する周辺機器がない。従って、パソコンの時刻情報を標準電波を受信して修正しようとすると、標準電波を受信するための専用機器を用意しなければならない。また、デジタルカメラに関してもクレードルにセットしなければ時刻情報の修正を行うことができず、デジタルカメラの使用中は標準電波に基づく時刻情報の修正ができないという問題がある。さらに、電子機器を使用する地域の標準電波の周波数に合わせないと受信され難い場合がある。
【０００５】
本発明は、以上の問題を解決するものであり、電子機器の時刻情報の修正を簡易にすることを目的とする。
【課題を解決するための手段】
【０００６】
本発明に係る時刻情報修正システムは、商用電源の交流を直流に変換して出力する電源出力手段と、交流の周波数を判別する判別手段と、標準電波を受信するための受信手段と、判別手段により判別された交流の周波数に基づいて受信手段が受信する標準電波の周波数帯域を選択する選択手段と、受信手段により受信された標準電波から報時情報を抽出し、外部機器へ出力する出力手段とを有する電源供給機器と、電源供給手段から電源が供給されるとともに、出力手段から出力された報時情報に基づいて時刻情報を修正する修正手段を有する電子機器とを備えることを特徴とする。
【０００７】
本発明に係る電源供給機器は、商用電源の交流を直流に変換して出力する電源出力手段と、商用電源の交流の周波数を判別する判別手段と、標準電波を受信するための受信手段と、判別手段により判別された交流の周波数に基づいて受信手段が受信する標準電波の周波数帯域を選択する選択手段と、受信手段により受信された標準電波から報時情報を抽出し、接続される電子機器に出力する報時情報出力手段とを備えることを特徴とする。
【０００８】
また、本発明に係る電子機器は、電源供給手段と、標準電波の受信手段と、当該標準電波から報時情報を抽出し出力する報時情報出力手段とを有する電源供給機器が接続され、電源供給手段により電源が供給されるとともに、報時情報出力手段から出力される報時情報に基づいて時刻情報を修正する時刻修正手段を備えることを特徴とする。
【発明の効果】
【０００９】
以上のように本発明によれば、電子機器の時刻情報が電源供給機器から出力される報時情報（標準電波から抽出された情報）に基づいて修正される。従って、使用者が手動で電子機器の時刻情報を修正する手間を省くことができるとともに、電子機器の稼動中も、標準電波の報時情報に合わせて時刻情報を修正することが可能と成る。
【００１０】
また、旅行などで電子機器の使用地域が変わった場合でも、標準電波をその地域に合わせて正確に受信することができる。
【発明を実施するための最良の形態】
【００１１】
図１は本発明に係る実施形態が適用されるＡＣ−ＤＣアダプタのブロック図である。ソケット１０がコンセント（図示せず）に差し込まれると商用電源から交流電流が供給される。交流電流は周波数判別回路１１及びＡＣ−ＤＣ回路１２へ入力される。
【００１２】
周波数判別回路１１では、コンセントを介して供給された交流の周波数がチェックされる。チェック結果は標準電波受信回路１３に入力される。アンテナ１４は、日本標準時を送信する２局からの標準電波を受信することが可能である。すなわち、ＡＣ−ＤＣアダプタは、アンテナ１４を介して、おおたかどや山標準電波送信所から送信される４０ｋＨｚの標準電波と、はがね山標準電波送信所から送信される６０ｋＨｚの標準電波を受信することができる。
【００１３】
標準電波受信回路１３では、周波数判別回路１１から入力されるチェック結果に基づいて、アンテナ１４を介して受信する標準電波の周波数帯域を決定する。交流の周波数が５０Ｈｚのとき、おおたかどや山標準電波送信所から送信される４０ｋＨｚの標準電波を受信し、交流の周波数が６０Ｈｚのとき、はがね山標準電波送信所から送信される６０ｋＨｚの標準電波を受信する。すなわち、標準電波受信回路１３の切替えで受信周波数が切替えられる。
【００１４】
さらに、標準電波受信回路１３では、受信した標準電波から報時情報を抽出し出力する。標準電波から取り出される報時情報は、放送や電話等の報時サービスや電波時計の時刻基準に用いられる日本標準時である。一方、ＡＣ−ＤＣ回路１２では、交流電流を直流電流へ変換する処理が行われる。標準電波受信回路１３から出力される報時情報は信号ライン１５によりデジタルカメラに伝送される。ＡＣ−ＤＣ回路１２から出力される直流電流は、電源ライン１６によりデジタルカメラへ入力される。
【００１５】
図２はＡＣ−ＤＣアダプタが接続されるデジタルカメラのブロック図である。システムコントローラ２０はデジタルカメラ全体を制御する例えばマイクロコンピュータである。ＥＥＰＲＯＭ２１にはデジタルカメラを制御するための各種プログラム、データ等が格納される。
【００１６】
ＡＣ−ＤＣアダプタから送られてくる直流電流は、ＤＣジャック２２を介して電源回路２３へ入力される。そして、電源回路２３からデジタルカメラの各回路へ電源が供給される。デジタルカメラの筐体に設けられた各種スイッチからの入力情報はスイッチ回路２４を介してシステムコントローラ２０に入力される。
【００１７】
デジタルカメラのシャッターボタン（図示せず）の半押しにより実行される測距処理の結果に基づいて、撮影光学系２５を構成するフォーカシング光学系の駆動量が演算され、モータ駆動回路２６へ制御信号が出力される。モータ駆動回路２６からモータ２７へ駆動信号が出力される。その結果、フォーカシング光学系が駆動され合焦動作が行われる。また、シャッターボタンの半押しにより実行される測光処理の結果に基づいて、ストロボ駆動回路２８へ制御信号が出力される。すなわち、測光処理の結果、被写体の光量が不十分と判断されるときは、ストロボ（図示せず）の発光を指令する制御信号がストロボ駆動回路２８へ出力される。
【００１８】
システムコントローラ２０からＣＣＤ駆動回路２９へＣＣＤ３０の駆動を指令する制御信号が出力されると、ＣＣＤ駆動回路２９からＣＣＤ３０へ駆動信号が出力され、ＣＣＤ３０が駆動される。その結果、撮影光学系２５により結像された被写体の光学像の光電変換が行われる。そして、ＣＣＤ３０から画像信号が画像処理回路３１に出力される。画像処理回路３１では、Ａ／Ｄ変換、増幅処理、ガンマ補正、輪郭強調等の所定の画像信号処理が施され、画像処理回路３１に設けられた画像メモリ（図示せず）に画像データとして格納される。画像メモリ内の画像データは、適時読み出されて所定の変換処理が施され、ＬＣＤ３２へ出力される。その結果、ＬＣＤ３２に被写体像が表示される。
【００１９】
ＡＣ―ＤＣアダプタから出力される報時情報はＤＣジャック２２を介してシステムコントローラ２０に入力される。報時情報はシステムコントローラ２０から時計回路３３へ出力される。時計回路３３では、デジタルカメラの電源投入時、ＲＴＣ３４から読み出され、システムコントローラ２０により管理されている時刻情報と、システムコントローラ２０から入力される報時情報が比較される。時刻情報と報時情報がずれている場合は、時計回路において、時刻情報に対し報時情報に合わせる修正が行われる。これにより、ＬＣＤ３２に表示される時刻情報は、常時、日本標準時刻と一致したものとなる。
【００２０】
図３は、ＡＣ−ＤＣアダプタで実行される報時情報取得ルーチンの処理手順を示すフローチャートである。ステップＳ１００でＡＣ−ＤＣアダプタが商用電源に接続され、ソケット１０を介して交流が入力されたか否かがチェックされる。交流の入力が確認されたらステップＳ１０２へ進む。商用電源への接続が確認されない場合は、本ルーチンは終了する。
【００２１】
ステップＳ１０２では、交流の周波数が５０Ｈｚであるか否かがチェックされる。周波数が５０Ｈｚであることが確認されたらステップＳ１０４へ進む。ステップＳ１０４では、周波数帯域が４０ｋＨｚである標準電波を受信するようアンテナ１４が制御される。一方、ステップＳ１０２において、交流の周波数が５０Ｈｚではないことが確認されたら、すなわち６０Ｈｚであることが確認されたステップＳ１０６へ進む。ステップＳ１０６では、周波数帯域が６０ｋＨｚである標準電波を受信するようアンテナ１４が制御される。
【００２２】
東日本において商用電源の交流の周波数は５０Ｈｚであり、４０ｋＨｚの標準電波を送信するおおたかどや山標準電波送信所の所在地は福島県であり東日本である。従って、ステップＳ１０４の処理により、確実に標準電波を受信することができる。同様に、西日本において商用電源の交流の周波数は６０Ｈｚであり、６０ｋＨｚの標準電波を送信するはがね山標準電波送信所は福岡県と佐賀県の県境にあり、西日本に位置する。従って、ステップＳ１０６の処理により、確実に標準電波を受信することができる。
【００２３】
図４は、ＡＣ−ＤＣアダプタで実行される報時情報出力ルーチンの処理手順を示すフローチャートである。ステップＳ２００でＡＣ−ＤＣアダプタがデジタルカメラに接続されたか否かがチェックされる。ＡＣ−ＤＣアダプタがデジタルカメラに接続されると、一定量の電流がデジタルカメラに流れる。システムコントローラ２０ではこの電流を検出することによりＡＣ−ＤＣアダプタの接続を判断する。ＡＣ−ＤＣアダプタがデジタルカメラに接続されたことが確認されたらステップＳ２０２へ進む。ＡＣ−ＤＣアダプタがデジタルカメラに接続されていないとき、本ルーチンは終了する。
【００２４】
ステップＳ２０２では、標準電波受信回路１３において標準電波の受信が開始される。すなわち、図３のステップＳ１０４若しくはＳ１０６で設定された周波数帯域の標準電波の受信がアンテナ１４を介して行われる。次いでステップＳ２０４へ進み、受信が完了したかチェックされる。完了が確認されない場合は、ステップＳ２０２へもどる。すなわち、受信処理が継続される。
【００２５】
ステップＳ２０４で標準電波の受信が終了したことが確認されたら、ステップＳ２０６へ進む。ステップＳ２０６では、標準電波受信回路１３において、標準電波から報時情報を抽出し、ＡＣ−ＤＣアダプタが接続されているデジタルカメラへ出力する処理が実行される。次いで、ステップＳ２０８へ進む。
【００２６】
ステップＳ２０８では、標準電波の受信処理が行われてから一定時間（例えば２４時間）が経過したか否かがチェックされる。一定時間の経過が確認されたらステップＳ２００へ戻り、上述の処理が繰り返される。すなわち、所定時間が経過する度に定期的に標準電波の受信処理及び報時情報の出力処理が繰り返される。
【００２７】
図５は、デジタルカメラで実行される時刻修正ルーチンの処理手順を示すフローチャートである。ステップＳ３００で、ＤＣジャック２２の入力電圧のレベルが検知され、ＡＣ−ＤＣアダプタがデジタルカメラに接続されているか否かがチェックされる。ＡＣ−ＤＣアダプタが接続されていることが確認されたらステップＳ３０２へ進む。ＡＣ−ＤＣアダプタの接続が確認されない場合は本ステップが繰り返される。
【００２８】
ステップＳ３０２で、ＡＣ−ＤＣアダプタからＤＣジャック２２を介して報時情報が入力されたか否かがチェックされる。報時情報の入力が確認されたらステップＳ３０４へ進む。報時情報が入力されていない場合、ステップＳ３００へ戻る。
【００２９】
ステップＳ３０４では、入力された報時情報と、システムコントローラ２０で管理している時刻情報が比較され、誤差があるか否かがチェックされる。時刻情報に誤差が生じていることが確認されたら、ステップＳ３０６へ進み、時刻情報を報時情報に基づいて修正する処理が実行される。時刻情報の修正がおこなわれたらステップＳ３００へ戻り、上述の処理が繰り返される。ステップＳ３０４で時刻情報に誤差が生じていないことが確認されたらステップＳ３０６の処理はスキップされ、ステップＳ３００へ戻り、上述の処理が繰り返される。
【００３０】
尚、報時情報が入力される度に、すなわち図４のステップＳ２０８でチェックしている２４時間の経過毎に、ステップＳ３０４以降の処理が実行されるがこれに限るものではない。例えば、デジタルカメラの撮影動作が行われた場合に、ＡＣ−ＤＣアダプタ内の標準電波受信回路１３で上述の検出・抽出処理が実行されるよう制御してもよい。この構成によれば、使用者が必要とするときに正確な時間情報を取得することができる。
【００３１】
以上のように、本実施形態によれば、ＡＣ−ＤＣアダプタで標準電波を受信し、報時情報を抽出してデジタルカメラに出力し、デジタルカメラにおいて、システムコントローラ２０で管理している時刻情報がＡＣ−ＤＣアダプタからの報時情報に基づいて修正される。すなわち、ＡＣ−ＤＣアダプタはデジタルカメラに電源を供給すると共に、報時情報を出力している。従って、使用者がデジタルカメラの時刻情報の修正を意識する必要がない上に、デジタルカメラの使用中であっても時刻情報が随時修正される。
【００３２】
尚、本実施形態では、報時情報は交流電源を供給する電源ライン１６とは別の信号ライン１５により伝送されるが、これに限るものではない。ＡＣ−ＤＣアダプタに交流電源に報時情報を重畳させる重畳器を設け、電源ラインで交流電源の供給と報時情報の伝送を行うよう構成してもよい。尚、この場合は、デジタルカメラに交流電源から報時情報を抽出する分離器を設ける必要がある。
【００３３】
また、本実施形態では、ＡＣ−ＤＣアダプタにより標準電波を受信しているがこれに限るものではない。商用電源の交流の周波数を判別することができ、その周波数に基づいて、受信する標準電波の周波数帯域を選択する機能を備えた電源供給装置であればよい。
【図面の簡単な説明】
【００３４】
【図１】本発明に係る実施形態が適用されるＡＣ−ＤＣアダプタのブロック図である。
【図２】本発明に係る実施形態が適用されるデジタルカメラのブロック図である。
【図３】報時情報取得ルーチンの処理手順を示すフローチャートである。
【図４】報時情報出力ルーチンの処理手順を示すフローチャートである。
【図５】時刻修正ルーチンの処理手順を示すフローチャートである。
【符号の説明】
【００３５】
１０  ソケット
１１  周波数判別回路
１２  ＡＣ−ＤＣ回路
１３  標準電波受信回路
１４  アンテナ
２０  システムコントローラ
２２  ＤＣジャック
３３  時計回路
【図１】
2006208213.tif 000003
【図２】
2006208213.tif 000004
【図３】
2006208213.tif 000005
【図４】
2006208213.tif 000006
【図５】
2006208213.tif 000007